(57)【要約】【課題】受信機本体の受信操作時にアンテナを自動的に最適な受信感度に調整することで使用者によるアンテナの調節作業の煩雑さをを無くす。【解決手段】誘電体ブロック３１に形成された放射導体３２と放射導体３２に結合された第一のバラクタダイオード３６とを内蔵し、受信信号に共振可能なアンテナ装置２１と、受信信号を中間周波信号に変換する電子同調チューナ部２２とを備え、電子同調チューナ部２２は少なくとも可変同調回路４とミキサ７と発振器９とを有し、可変同調回路４に第二のバラクタダイオード４ａを設けると共に、発振器９に第三のバラクタダイオード９ａを設け、第二のバラクタダイオード４ａと第三のバラクタダイオード９ａとに印加する制御電圧を第一のバラクタダイオード３６に印加し、アンテナ装置２１の共振周波数と可変同調回路４の同調周波数とを同一にした。【選択図】        図４
2004328285.tif 000002
【特許請求の範囲】
【請求項１】
誘電体ブロックに形成された放射導体と前記放射導体に結合された第一のバラクタダイオードとを内蔵し、受信信号に共振可能なアンテナ装置と、前記受信信号を中間周波信号に変換する電子同調チューナ部とを備え、前記電子同調チューナ部には第二のバラクタダイオードを有する可変同調回路と、周波数変換用のミキサと、第三のバラクタダイオードを有すると共に前記ミキサに局部発振信号を供給する発振器とを設け、前記第二のバラクタダイオードと前記第三のバラクタダイオードとに印加する制御電圧を前記第一のバラクタダイオードに印加し、前記アンテナ装置の共振周波数と前記可変同調回路の同調周波数とを同一にしたことを特徴とする携帯型受信機。
【請求項２】
誘電体ブロックに形成された放射導体と前記放射導体に結合された第一のバラクタダイオードとを内蔵し、受信信号に共振可能なアンテナ装置と、前記受信信号を中間周波信号に変換する電子同調チューナ部とを備え、前記電子同調チューナ部には制御電圧が印加される第二のバラクタダイオードを有する可変同調回路と、周波数変換用のミキサと、前記制御電圧が印加される第三のバラクタダイオードを有すると共に前記ミキサに局部発振信号を供給する発振器と、前記中間周波信号を検波して前記中間周波信号のレベルに比例する直流電圧を生成する検波回路と、前記制御電圧を前記直流電圧によって補正すると共に、補正後の制御電圧を前記第一のバラクタダイオードに供給する制御電圧補正回路とを設け、前記制御電圧を前記中間周波信号のレベルが上昇する方向に補正し、前記アンテナ装置の共振周波数と前記可変同調回路の同調周波数とを同一にしたことを特徴とする携帯型受信機。
【請求項３】
前記制御電圧を前記アンテナ装置から前記電子同調チューナ部に入力される前記受信信号の伝送路を介して前記第一のバラクタダイオードに印加したことを特徴とする請求項１又は２に記載の携帯型受信機。
【請求項４】
前記電子同調チューナ部には前記制御電圧を生成するＰＬＬ回路を設け、前記ＰＬＬ回路に選局部から前記受信信号を選択するための選局データを入力したことを特徴とする請求項１又は２又は３に記載の携帯型受信機。
【発明の詳細な説明】
【０００１】
【発明の属する技術分野】
本発明は、受信信号に共振可能なアンテナ装置と、受信信号を中間周波信号に変換する電子同調チューナ部とを備えた携帯型受信機に関する。
【０００２】
【従来の技術】
携帯型テレビジョン受信機等の従来の携帯型受信機は、図６に示すように伸縮自在のロッドアンテナ４１が受信機本体４０から突出するように設けられている。そして、使用者は所望のチャンネルを選局するように受信機本体４０を操作すると共に、そのチャンネルのテレビジョン信号を最適な感度で受信できるようにロッドアンテナ４１の長さを適宜調節するようにしていた（例えば、特許文献１参照。）。
【０００３】
【特許文献１】
特開２００１−３３９３２９号公報（図２）
【０００４】
【発明が解決しようとする課題】
しかし、従来の携帯型受信機では受信機本体とロッドアンテナとの双方を操作するので、受信のための操作が煩雑であり、特にロッドアンテナの長さ調節ではこれを手によって行うので人体の接触によってロッドアンテナの受信特性が変化し、容易に受信チャンネルの感度調整ができなかった。
【０００５】
本発明では、受信機本体の受信操作時にアンテナを自動的に最適な受信感度に調整することで使用者によるアンテナの調節作業の煩雑さをを無くすことを目的とする。
【０００６】
【課題を解決するための手段】
上記課題を解決するため、誘電体ブロックに形成された放射導体と前記放射導体に結合された第一のバラクタダイオードとを内蔵し、受信信号に共振可能なアンテナ装置と、前記受信信号を中間周波信号に変換する電子同調チューナ部とを備え、前記電子同調チューナ部には第二のバラクタダイオードを有する可変同調回路と、周波数変換用のミキサと、第三のバラクタダイオードを有すると共に前記ミキサに局部発振信号を供給する発振器とを設け、前記第二のバラクタダイオードと前記第三のバラクタダイオードとに印加する制御電圧を前記第一のバラクタダイオードに印加し、前記アンテナ装置の共振周波数と前記可変同調回路の同調周波数とを同一にした。
【０００７】
また、誘電体ブロックに形成された放射導体と前記放射導体に結合された第一のバラクタダイオードとを内蔵し、受信信号に共振可能なアンテナ装置と、前記受信信号を中間周波信号に変換する電子同調チューナ部とを備え、前記電子同調チューナ部には制御電圧が印加される第二のバラクタダイオードを有する可変同調回路と、周波数変換用のミキサと、前記制御電圧が印加される第三のバラクタダイオードを有すると共に前記ミキサに局部発振信号を供給する発振器と、前記中間周波信号を検波して前記中間周波信号のレベルに比例する直流電圧を生成する検波回路と、前記制御電圧を前記直流電圧によって補正すると共に、補正後の制御電圧を前記第一のバラクタダイオードに供給する制御電圧補正回路とを設け、前記制御電圧を前記中間周波信号のレベルが上昇する方向に補正し、前記アンテナ装置の共振周波数と前記可変同調回路の同調周波数とを同一にした。
【０００８】
また、前記制御電圧を前記アンテナ装置から前記電子同調チューナ部に入力される前記受信信号の伝送路を介して前記第一のバラクタダイオードに印加した。
【０００９】
また、前記電子同調チューナ部には前記制御電圧を生成するＰＬＬ回路を設け、前記ＰＬＬ回路に選局部から前記受信信号を選択するための選局データを入力した。
【００１０】
【発明の実施の形態】
本発明の携帯型受信機の一実施形態であるテレビジョン受信機を図１乃至図５に従って説明する。図１はこの発明の概念を示し、受信機本体２０内にはアンテナ装置２１、電子同調チューナ部２２、選局部２３、表示部２４等が設けられる。そして、選局部２３によって選択されたテレビジョン信号がアンテナ装置２１によって受信され、電子同調チューナ部２２によって中間周波信号に変換される。そして、中間周波信号は受信機本体２０内の他の回路によって処理され、表示部に映像が表示される。
【００１１】
なお、アンテナ装置２１は必ずしも受信機本体２０内に収納する必要はなく、その外部において受信機本体２０に装着するようにしてもよい。
【００１２】
アンテナ装置２１はその一例を図２、図３に示すように、直方体の誘電体ブロック３１の表面に放射導体３２やアース導体３３、給電端子３４、制御端子３５等を設けてなる逆Ｆ型の誘電体アンテナである。誘電体ブロック３１の天面において放射導体３２は２カ所に容量結合部Ｃ１、Ｃ２を有し、これらの容量結合部Ｃ１、Ｃ２によってインピーダンスのマッチングや付加容量値の調整等を行っている。
【００１３】
また、給電端子３４には高周波の給電電圧が供給され、制御端子３５には直流バイアス電圧（制御電圧）が供給される。第一のバラクタダイオード３６と抵抗器３７は誘電体ブロック３１の側面に付設される。第一のバラクタダイオード３６は印加される直流バイアス電圧の大きさに応じて容量値が変化する可変容量素子である。このバラクタダイオード３６のカソードは高周波阻止用の抵抗器３７と接続され、アノードはアース導体３３と接続されている。抵抗器３７は制御端子３５と接続されており、この抵抗器３７を介してバラクタダイオード３６に直流バイアス電圧が供給されるようになっている。
【００１４】
以上のように構成されたアンテナ装置２１は周辺の回路との接触を避けるためのケース（図示せず）に収められて受信機本体２０内に収納される。
【００１５】
電子同調チューナ部２２は図４にその回路を示すように、アンテナ装置２１の給電端子３４、制御端子３５にそれぞれ接続される入力端子１、制御電圧出力端子２と、入力端子１に接続されプリアンプ３と、その次段に設けられた入力同調回路４と、その次段に設けられた可変利得増幅器５と、その次段に設けられた出力同調回路６と、その次段に設けられてたミキサ７と、ミキサ７の次段に設けられた検波回路８と、ミキサ７に局部発振信号を供給する発振器９と、発振器９の発振周波数を制御するＰＬＬ回路１０等を有する。
【００１６】
入力同調回路４及び出力同調回路６はそれぞれ第二のバラクタダイオード４ａ、６ａを有し、各バラクタダイオード４ａ、６ａによって同調周波数が変えられる可変同調回路である。また、発振器９には第三のバラクタダイオード９ａが設けられる。第三のバラクタダイオード９ａによって発振周波数が設定される。
【００１７】
ＰＬＬ回路１０には発振器９から局部発振信号が入力されると共に、選局部２３から選局データが入力される。そして、ＰＬＬ回路１０から出力される制御電圧が入力同調回路４、出力同調回路６の第二のバラクタダイオード４ａ、６ａに供給されると共に、発振器９の第三のバラクタダイオード９ａにも供給される。よって、二つの同調回路４、６は第二のバラクタダイオード４ａ、６ａの容量値で決まる周波数に同調し、発振器も所定の周波数で発振する。また、制御電圧は制御電圧出力端子２にも印加される。よって、アンテナ装置２１の第三のバラクタダイオード３６にも制御電圧が供給されるので、アンテナ装置２１は第一のバラクタダイオード３６の容量値によって決まる周波数に共振する。この共振周波数は二つの同調回路４、６の同調周波数と同じとなるように設計される。
【００１８】
以上の構成において、選局部２３によって受信すべきチャンネルが選択されると、ＰＬＬ回路１０からはそのチャンネルに相当する制御電圧が出力される。これによって、アンテナ装置２１は前述したように第一のバラクタダイオード３６の容量値で決まる周波数に共振するので、その周波数のテレビジョン信号が最高感度で受信され、給電端子３４から電子同調チューナ部２２に入力される。入力されたテレビジョン信号はプリアンプ３、可変利得増幅器４によって増幅されると共に、入力同調回路４及び出力同調回路６によって隣接する不要なテレビジョン信号が除去されてミキサ７に入力される。ここで局部発振周波数と混合されて中間周波信号に変換される。中間周波信号の一部は検波回路８によって検波されて直流電圧に変換される。この直流電圧はＡＧＣ電圧として可変利得増幅５に供給され、その結果として中間周波信号のレベルが一定となるように制御される。
【００１９】
以上のように、この発明では受信機本体の選局操作のみでアンテナ装置２１が受信すべきチャンネルの周波数に共振するように構成されているので、煩雑な調整が不要となる。
【００２０】
なお、アンテナ装置２１において、抵抗器３７を第一のバラクタダイオード３６と給電端子３４との間に接続して制御端子３５を削除することもできる。その場合は、電子同調チューナ部２２においては制御電圧出力端子２を削除し、制御電圧を高周波阻止手段（図５の１２参照）を介して入力端子１に印加すればよい。よって、制御電圧はアンテナ装置２１から電子同調チューナ部２２に入力されるテレビジョン信号の伝送路（ここでは給電端子３４と入力端子１とを結ぶ線路）を介して第一のバラクタダイオード３６に供給される。
【００２１】
図５は電子同調チューナ部２２の他の構成例を示すが、図４の構成と同一部分には同一符号を付してその説明を省略する。ＰＬＬ回路１０から出力される制御電圧は入力同調回路４、出力同調回路６、発振器９の各バラクタダイオード４ａ、６ａ、９ａに印加されると共に、制御電圧補正回路１１を介して第一のバラクタダイオード３６に印加されるように構成される。すなわち、制御電圧補正回路からは補正された制御電圧が出力され、それは高周波阻止手段であるインダクタンス素子１２を介して入力端子に印加される。
【００２２】
制御電圧補正回路１１には検波回路８から直流電圧が入力され、ここで、制御電圧補正回路１１は入力された制御電圧を直流電圧によって補正して出力するが、その動作を以下に説明する。
【００２３】
制御電圧補正回路１１は、最初にＰＬＬ回路１０から出力されている制御電圧Ｖｔをそのまま（変更せず）出力すると共に、その時点の直流電圧Ｖｄを記憶する。次いで、制御電圧補正回路１１は制御電圧をΔＶｔだけ高くしてその後に出力される直流電圧を前回記憶しておいた直流電圧と比較し、もし、上昇していれば（中間周波信号のレベルが大きくなれば）さらに制御電圧をΔＶｔだけ高くして出力する。
【００２４】
この繰り返しのなかで、直流電圧が前回記憶しておいた値よりも低くなればその次に出力する制御電圧をΔＶｔだけ低くしてその後の直流電圧を前回の値と比較する。そして、直流電圧が下がる方向に変化していれば次にΔＶｔだけ高い制御電圧を出力し、逆に上がる方向に変化していれば次にΔＶｔだけ低い制御電圧を出力する。このようにすることで、中間周波信号は常に最高のレベルに維持される。
【００２５】
従って、携帯型受信機を手に持って操作する場合に、人体の影響を受けてアンテナ装置２１の共振周波数がずれた場合でも、アンテナ装置２１に供給される制御電圧が補正されて常に最高感度で所望のテレビジョン信号を受信できる。
【００２６】
【発明の効果】
以上説明したように、本発明は、電子同調チューナ部には第二のバラクタダイオードを有する可変同調回路と、周波数変換用のミキサと、第三のバラクタダイオードを有すると共にミキサに局部発振信号を供給する発振器とを設け、第二のバラクタダイオードと第三のバラクタダイオードとに印加する制御電圧を第一のバラクタダイオードに印加し、アンテナ装置の共振周波数と可変同調回路の同調周波数とを同一にしたので、選局操作のみでアンテナ装置が受信すべきチャンネルの周波数に共振し、アンテナの煩雑な調整が不要となる。
【００２７】
また、電子同調チューナ部には制御電圧が印加される第二のバラクタダイオードを有する可変同調回路と、周波数変換用のミキサと、制御電圧が印加される第三のバラクタダイオードを有すると共に前記ミキサに局部発振信号を供給する発振器と、中間周波信号を検波して中間周波信号のレベルに比例する直流電圧を生成する検波回路と、制御電圧を直流電圧によって補正すると共に、補正後の制御電圧を第一のバラクタダイオードに供給する制御電圧補正回路とを設け、第一のバラクタダイオードに供給する制御電圧を中間周波信号のレベルが上昇する方向に補正し、アンテナ装置の共振周波数と可変同調回路の同調周波数とを同一にしたので、携帯型受信機を手に持って操作する場合に、人体の影響を受けてアンテナ装置の共振周波数がずれた場合でも、アンテナ装置に供給される制御電圧が補正されて常に最高感度で所望のテレビジョン信号を受信できる。
【００２８】
また、制御電圧をアンテナ装置から電子同調チューナ部に入力される受信信号の伝送路を介して第一のバラクタダイオードに印加したので、アンテナ装置及び電子同調チューナ部にはそれぞれ相手と接続するための端子を各一つ設ければよいので、構造的に簡単となる。
【００２９】
また、電子同調チューナ部には制御電圧を生成するＰＬＬ回路を設け、ＰＬＬ回路に選局部から受信信号を選択するための選局データを入力したので、アンテナ装置と電子同調チューナ部とを受信信号に同調させる操作を簡単にすることができる。
【図面の簡単な説明】
【図１】本発明の携帯型受信機の概念図である。
【図２】本発明の携帯型受信機に使用されるアンテナ装置の斜視図である。
【図３】本発明の携帯型受信機に使用されるアンテナ装置の底面図である。
【図４】本発明の携帯型受信機に使用される電子同調チューナ部の構成を示す回路図である。
【図５】本発明の携帯型受信機に使用される電子同調チューナ部の他の構成を示す回路図である。
【図６】従来の携帯型受信機の概念図である。
【符号の説明】
１  入力端子
２  制御電圧出力端子
３  プリアンプ
４  入力同調回路
４ａ  第二のバラクタダイオード
５  可変利得増幅器
６  出力同調回路
６ａ  第二のバラクタダイオード
７  ミキサ
８  検波回路
９  発振器
９ａ  第三のバラクタダイオード
１０  ＰＬＬ回路
１１  制御電圧補正回路
１２  インダクタンス素子
２０  受信機本体
２１  アンテナ装置
２２  電子同調チューナ部
２３  選局部
２４  表示部
３１  誘電体ブロック
３２  放射導体
３３  アース導体
３４  給電端子
３５  制御端子
３６  第一のバラクタダイオード
３７  抵抗器
【図１】
2004328285.tif 000003
【図２】
2004328285.tif 000004
【図３】
2004328285.tif 000005
【図４】
2004328285.tif 000006
【図５】
2004328285.tif 000007
【図６】
2004328285.tif 000008